(57)【要約】【課題】テレビ電話が掛かってきてこれにユーザが応答できない場合に、特別の装置の介在なしにその旨の自動応答を行うことのできる携帯型情報機器およびテレビ電話自動応答方法を得ること。【解決手段】自移動機１０２Ａは移動機設定部１１１で「ドライブモード」といったユーザがテレビ電話に出ることのできない自動応答サービスを設定し、テレビ電話着信設定部１１３で電話に出るかどうかを設定する。電話帳設定部３０１では相手側端末に応じて自動応答時に使用する画像情報をグループ別に設定する。テレビ電話が掛かってくると、ユーザが応答できない場合、相手側端末のグループと設定された自動応答サービスに応じた画像情報や音声情報が相手側端末に送信される。【選択図】図１０
2005354274.tif 000002
【特許請求の範囲】
【請求項１】
テレビ電話を掛けてきた相手側端末に対して、ユーザが応答できない予め定めた幾つかのケース別にユーザの応答に代えて送信する画像情報としての応答用画像情報を格納する応答用画像情報格納手段と、
前記応答用画像情報と共に相手側端末に送信する音声情報を格納する音声情報格納手段と、
テレビ電話の着信があったとき、前記ケースのいずれに該当するかを判別するケース判別手段と、
このケース判別手段で判別されたケースに対応する応答用画像情報および音声情報をそれぞれ読み出して前記相手側端末に送信する情報送信手段
とを具備することを特徴とする携帯型情報機器。
【請求項２】
テレビ電話を掛けてくる相手側端末のそれぞれを複数のグループのいずれかに分類して登録しておく電話帳登録手段と、
テレビ電話を掛けてきた相手側端末に対して、ユーザが応答できない予め定めた幾つかのケース別および前記グループ別にユーザの応答に代えて送信する画像情報としての応答用画像情報を予め格納する応答用画像情報格納手段と、
テレビ電話の着信があったとき、前記ケースのいずれに該当するかを判別するケース判別手段と、
テレビ電話の着信があったとき、前記電話帳登録手段を検索してその相手側端末が前記複数のグループのいずれに属するかを判別するグループ判別手段と、
これらケース判別手段およびグループ判別手段の双方の判別結果に対応する応答用画像情報を読み出して前記相手側端末に送信する情報送信手段
とを具備することを特徴とする携帯型情報機器。
【請求項３】
前記ケース判別手段の判別結果を外部の電話機から受信された所定の情報を基にして前記予め定めた幾つかのケースのうちの特定のケースに設定するケース設定手段を具備することを特徴とする請求項１または請求項２記載の携帯型情報機器。
【請求項４】
前記相手側端末が前記電話帳登録手段に登録されていないとき、あらかじめ指定しておいたグループに該当するとして仮に判別する仮判別手段を具備することを特徴とする請求項２記載の携帯型情報機器。
【請求項５】
前記応答用画像情報と共に相手側端末に送信する音声情報を格納する音声情報格納手段を備え、前記情報送信手段は前記応答用画像情報と共に音声情報格納手段に格納された対応する音声情報を前記相手側端末に送信することを特徴とする請求項２記載の携帯型情報機器。
【請求項６】
テレビ電話の着信があったとき、テレビ電話を掛けてきた相手側端末に対して、ユーザが応答できない予め定めた幾つかのケースのいずれかに該当するか否かを判別するケース該当有無判別ステップと、
このケース該当有無判別ステップで前記ケースのいずれかに該当すると判別されたとき該当するとされたケースに対応する幾つかの応答用画像情報からいずれを選択するかをテレビ電話の発呼側の相手側端末に応じて決定する応答用画像情報選択ステップと、
この応答用画像情報選択ステップで選択された応答用画像情報をその相手側端末に送信する応答用画像情報送信ステップ
とを具備することを特徴とするテレビ電話自動応答方法。
【発明の詳細な説明】
【技術分野】
【０００１】
本発明は、テレビ電話が掛かってきた特定の場合に自動で応答する携帯型情報機器およびテレビ電話自動応答方法に係わり、特に個人的に所持している携帯電話機等の携帯型情報機器およびこれを使用したテレビ電話自動応答方法に関する。
【背景技術】
【０００２】
携帯電話機に限らず、ＰＨＳ（Personal Handy-phone System）、ＰＤＡ（Personal Digital Assistant）あるいは携帯型のコンピュータのように携帯型の各種情報機器の製品開発が活発に行われており、これらの機能がますます高度化している。特にこれらの情報機器で通信機能を備えるものは通信速度が高速化しており、また静止画や動画を撮影するデジタルカメラを搭載しているものも一般化している。そこで、情報機器同士で電子メールや音声通信だけでなく、デジタルカメラと画像表示用のディスプレイを使用してテレビ電話で通信することができる携帯型情報機器が多く出回るようになってきている。
【０００３】
ところで、携帯電話機に代表されるこれら携帯型情報機器は、個人的に管理され、あるいは所持されることが多い。また、その情報機器が無線通信技術を使用して通信を行う場合には、個人がこれを携行して各所に移動する場合も多く、途中で自動車を運転したり、あるいはその情報機器自体をオフィスや自宅に置き忘れてしまうような場合も生じ、このような場合にはテレビ電話が掛かってきても、これに応答することができない。
【０００４】
そこで、外出等の留守の時にはテレビ電話を掛けてきた相手側端末に対して情報機器の所持者本人が留守である旨を画面で表示するようにする提案が行われている（たとえば特許文献１参照）。この提案によれば、外出するときに相手側端末に通知する画像をあらかじめアレンジしておくので、留守中にテレビ電話を掛けてきた相手側端末のユーザに留守中で応答することができないことを画像で知らせることができる。
【０００５】
図１２は、この提案による留守番対応装置の構成を表わしたものである。留守番対応装置４００は、メタル回線４０１を介して図示しない相手側端末と有線で接続する通信制御部４０２を備えている。通信制御部４０２は、呼び出し音を検出する呼検出回路４０３と、相手側端末に対して画像の送出制御を行う画像制御部４０４ならびに固定電話機４０９とも接続されている。画像制御部４０４は、画像を撮影するためのカメラ４０５、画像の表示を行うためのディスプレイ４０６、静止画をそれぞれ１画面分ずつ記憶する設定画面メモリ４０７1〜４０７m、不在等の状態を設定する状態設定スイッチ４０８と接続している。
【０００６】
このような従来の留守番対応装置４００で、ユーザは留守をする等の自動応答が必要な場合に状態設定スイッチ４０８を操作して、設定画面メモリ４０７1〜４０７mに格納された静止画の１つを予め選択しておく。この状態で着呼があると、呼検出回路４０３は呼出音を検出する。通信制御部４０２は呼の検出を通知されると、状態設定スイッチ４０８で予め選択されている外出等の静止画画像を読み出して相手側端末に自動的に送信するようにしている。これにより、テレビ電話を掛けた相手側端末のユーザは、固定電話機４０９のユーザが不在であることを、送られてきた静止画によって知ることができる。
【特許文献１】特開平２−４８８８７号公報（第２ページ左下欄第６行目〜同ページ右下欄第１行目、図１）
【発明の開示】
【発明が解決しようとする課題】
【０００７】
このように従来の留守番対応装置４００は、固定電話機４０９に接続する装置として構成されており、留守のときにテレビ電話を掛けてきた者に静止画を送信するようにしている。このため、テレビ電話を掛けてきた相手側端末のユーザに電話に出られない旨を画面によって知らせることができる。したがって、相手側端末のユーザはその固定電話機４０９のユーザが帰宅するころの時間帯に再度電話を行う等の適切な対応をとることができ、短時間に何回もテレビ電話を掛け直したり、通信網に何らかの障害が発生しているかどうかを通信事業者に問い合わせるといった手間を省くことができる。
【０００８】
しかしながら、従来の留守番対応装置４００は固定電話機に付属した装置であったため、携帯型情報機器と共に持ち運べないという問題があった。このため、たとえば急に車を運転するような事態になったときにも対応することができず、テレビ電話が掛かってきたときに電話に出ることができない理由を電話を掛けた相手側端末に通知することができないという問題があった。
【０００９】
そこで本発明の目的は、テレビ電話が掛かってきてこれにユーザが応答できない場合に、特別の装置の介在なしにその旨の自動応答を行うことのできる携帯型情報機器およびテレビ電話自動応答方法を提供することにある。
【課題を解決するための手段】
【００１０】
請求項１記載の発明では、（イ）テレビ電話を掛けてきた相手側端末に対して、ユーザが応答できない予め定めた幾つかのケース別にユーザの応答に代えて送信する画像情報としての応答用画像情報を格納する応答用画像情報格納手段と、（ロ）応答用画像情報と共に相手側端末に送信する音声情報を格納する音声情報格納手段と、（ハ）テレビ電話の着信があったとき、ケースのいずれに該当するかを判別するケース判別手段と、（ニ）このケース判別手段で判別されたケースに対応する応答用画像情報および音声情報をそれぞれ読み出して相手側端末に送信する情報送信手段とを携帯型情報機器に具備させる。
【００１１】
すなわち請求項１記載の発明では、応答用画像情報格納手段に、ユーザが応答できない予め定めた幾つかのケース（実施例における自動応答サービス）別にユーザの応答に代えて送信する画像情報としての応答用画像情報を格納しておき、音声情報格納手段にも同様に音声情報を格納しておく。音声情報はケース別であってもなくてもよい。そして、テレビ電話の着信があったときには、ケースのいずれに該当するか否かをケース判別手段で判別し、その判別されたケースに対応する応答用画像情報および音声情報をそれぞれ読み出して相手側端末に送信するようにしている。このように携帯型情報機器自体で自動応答を可能にしている。
【００１２】
請求項２記載の発明では、（イ）テレビ電話を掛けてくる相手側端末のそれぞれを対応別に複数のグループのいずれかに分類して登録しておく電話帳登録手段と、（ロ）テレビ電話を掛けてきた相手側端末に対して、ユーザが応答できない予め定めた幾つかのケース別およびグループ別にユーザの応答に代えて送信する画像情報としての応答用画像情報を予め格納する応答用画像情報格納手段と、（ハ）テレビ電話の着信があったとき、ケースのいずれに該当するかを判別するケース判別手段と、（ニ）テレビ電話の着信があったとき、電話帳登録手段を検索してその相手側端末が前記した複数のグループのいずれに属するかを判別するグループ判別手段と、（ホ）これらケース判別手段およびグループ判別手段の双方の判別結果に対応する応答用画像情報を読み出して相手側端末に送信する情報送信手段とを携帯型情報機器に具備させる。
【００１３】
すなわち請求項２記載の発明では、請求項１記載の発明の構成に電話帳登録手段を加えており、テレビ電話を掛けてくる相手側端末を自動応答の対応別に複数のグループのいずれかに分類して登録するようにしている。そして、グループとケースの双方に合った応答用画像情報を読み出して相手側端末に送信する。このように、ユーザ本人が対応できない理由を付けて応答するグループや、理由なしに応答できない旨のみを知らせるグループのように相手側端末をグループ化することで、相手側端末への不必要なプライベート情報の流出を防ぐことができる。また、より親密なグループには、画像を工夫する等でユーザ本人が対応できないことへの失望感を和らげることもできる。
【００１４】
請求項６記載の発明では、（イ）テレビ電話の着信があったとき、テレビ電話を掛けてきた相手側端末に対して、ユーザが応答できない予め定めた幾つかのケースのいずれかに該当するか否かを判別するケース該当有無判別ステップと、（ロ）このケース該当有無判別ステップで前記したケースのいずれかに該当すると判別されたとき該当するとされたケースに対応する幾つかの応答用画像情報からいずれを選択するかをテレビ電話の発呼側の相手側端末に応じて決定する応答用画像情報選択ステップと、（ハ）この応答用画像情報選択ステップで選択された応答用画像情報をその相手側端末に送信する応答用画像情報送信ステップとをテレビ電話自動応答方法に具備させる。
【００１５】
すなわち請求項６記載の発明では、テレビ電話にユーザが応答できないときには、応答用画像情報選択ステップで、判別されたケースに応じて応答用画像情報を選択し、これをその相手側端末に送信するようにしている。更に相手端末をグループ化しておいて、請求項２記載の発明のように送信する応答用画像情報をグループに対応するものにしておくことも自由である。
【発明の効果】
【００１６】
以上説明したように本発明では、携帯型情報機器自体がテレビ電話にユーザが応答できないときに対応する機能を備えているので、テレビ電話に自動応答するシステム自体を気軽に持ち運べることになり、利便性が向上する。また、テレビ電話を掛けてきた相手側端末をグループ化することで、より状況に即した画像情報を用いて自動応答を行うことが可能になり、プライバシの保護にも貢献する。
【発明を実施するための最良の形態】
【００１７】
以下実施例につき本発明を詳細に説明する。
【実施例１】
【００１８】
図１は、本発明の一実施例における携帯型情報機器を使用した通信システムの構成の概要を表わしたものである。この通信システム１００は、携帯電話等の通信を行うための所定の事業者ネットワーク１０１に、一例として携帯電話機からなる自移動機１０２と、通話相手となりうる他の携帯電話機からなる他移動機１０３やその他の通信端末１０４が接続されている。本実施例では、自移動機１０２と通信端末１０４の間でテレビ電話通信を行うものとし、通信端末１０４を相手側端末と呼ぶことにする。
【００１９】
図２は、本実施例の自移動機の回路構成の要部を機能的に表わしたものである。自移動機１０２は、通信端末１０４等の相手側端末からテレビ電話の着信があったときにこれに対して通知を行う自動応答サービスの種類を設定する移動機設定部１１１と、この設定内容を記憶する移動機設定記憶部１１２と、テレビ（ＴＶ）電話で着信時に移動機設定部１１１で設定したそれぞれの自動応答サービスを相手側端末に通知するか否かを設定するテレビ電話着信設定部１１３と、このテレビ電話着信設定部１１３で設定した内容を記憶するテレビ電話着信設定記憶部１１４と、テレビ電話の着信設定を実行するテレビ電話着信設定実行部１１５と、このテレビ電話着信設定実行部１１５の実行時にその内容を、この図には示していない液晶ディスプレイ（ＬＣＤ）に表示する処理を行うＬＣＤ処理部１１６と、設定内容に応じて画像や音声を相手側端末に送出する画像・音声送信部１１７を備えている。
【００２０】
もちろん、このような自移動機１０２の機能構成のうちの幾つかは、自移動機１０２内の図示しないＣＰＵ（中央処理装置）が、同じく自移動機１０２に内蔵されている記憶媒体に格納された制御プログラムを実行することによって実現するようになっている。本実施例では、移動機設定部１１１で「ダイヤルロック」と「ドライブモード」の２種の自動応答サービスを設定しているものとする。移動機設定記憶部１１２およびテレビ電話着信設定記憶部１１４は、たとえばデータを保持するためのリフレッシュ操作が不要なＳＲＡＭ（Static Random Access Memory）によって構成されていてもよい。
【００２１】
ところでユーザは図１に示した通信端末１０４等の相手側端末が自移動機１０２に対してテレビ電話を掛けてきたときに、これに直接応答できない場合に備えて、画像を使って応答不可能な旨の通知を行うためのテレビ電話着信設定を行ったり、一度行ったそのテレビ電話着信設定の解除を行うことができる。これらの処理を行うとき、ユーザは自移動機１０２をテレビ電話着信モードに設定する。テレビ電話着信モードには、自移動機１０２の電源投入時にその図示しない液晶ディスプレイに表示されるメニュー画面から「テレビ電話着信」と表示された選択肢を選択することで移行する。
【００２２】
図３は、ユーザがテレビ電話着信モードを選択したときの自移動機側の処理の流れを表わしたものである。自移動機１０２がテレビ電話着信モードに設定されると、テレビ電話着信設定画面がその液晶ディスプレイに表示される（ステップＳ２０１）。
【００２３】
図４は、テレビ電話着信設定画面の一例を示したものである。液晶ディスプレイ１２１には、現在設定されているモードである「テレビ電話着信モード」の表示が行われ、その設定・解除あるいはテレビ電話着信モード自体の終了のいずれかを、図示しない操作部のテンキー等の操作によって選択できるようになっている。
【００２４】
ユーザがテレビ電話着信モードで「設定・解除」の項目を選択したとすると（図３ステップＳ２０２：Ｙ）、液晶ディスプレイ１２１にその自移動機１０２にテレビ電話が掛かってきたときに通知の対象となる各自動応答サービスと、これらの自動応答サービスの現時点における設定あるいは未設定の状態を示す一覧が表示される（ステップＳ２０３）。なお、図４に示された表示状態でユーザが「終了」の項目を選択すると（ステップＳ２０４：Ｙ）、テレビ電話着信モードが終了する（エンド）。この場合には、再びメニュー画面の表示に戻ることになる。
【００２５】
図５は、ステップＳ２０３で自移動機の液晶ディスプレイに表示される自動応答サービスの一覧の一例を表わしたものである。本実施例の場合には、自移動機１０２の液晶ディスプレイ１２１に、移動機設定部１１１（図２）で設定された「ダイヤルロック」と「ドライブモード」の２種の自動応答サービスが、それぞれテレビ電話が掛かってきたときに通知の対象となる「設定」状態となっているか、あるいは通知の対象とならない「未設定」状態となっているかが表示されている。これら２種類の自動応答サービスのいずれかを選択して、「設定」状態と「未設定」状態の切り替えを行うことができる。ただし、「ダイヤルロック」の自動応答サービスの「設定」は外部から行われるので、ここでは解除としての「未設定」のみを行うことになる。なお、本実施例では移動機設定部１１１で２種類の自動応答サービスを選択しているが、更に多くの自動応答サービスを選択して、これらについて「設定」状態と「未設定」状態の切り替え等を行うことも可能である。
【００２６】
ユーザが「ダイヤルロック」と「ドライブモード」の２種の自動応答サービスのいずれか一方を選択した場合には（ステップＳ２０５：Ｙ）、その選択した自動応答サービスを新たに「設定」状態にする（ただし、本実施例では「ドライブモード」のみ。）か、あるいは「設定」状態を解除して「未設定」の状態にするための自動応答サービス設定・解除のための指示が自移動機１０２のディスプレイに表示される（ステップＳ２０６）。現状の自動応答サービスの設定状態を確認するだけのために図５に示す画面を表示した場合には、このような「設定」状態と「未設定」状態の間の切り替えを行う必要はない。そこでこの場合には、図５の表示状態で目的とする自動応答サービスが「設定」状態にあるか「未設定」状態にあるかを確認して（ステップＳ２０５：Ｎ）、「終了」の項目を選択し（ステップＳ２０７：Ｙ）、処理を終了させればよい（エンド）。たとえば、ユーザが「ドライブモード」に設定されているかどうかを確認したくなった時には、図５に示した表示を行えば、「ドライブモード」が設定済か未設定であるかを知ることができる。このような場合には、該当する自動応答サービスの設定状況を確認した後に、図５に示す「終了」という項目を選択して、図３に示した一連の処理を終了させることになる。
【００２７】
一方、図５の表示状態で「ドライブモード」が未設定であることが分かり、かつ今から自動車の運転を開始するので「ドライブモード」を「設定」状態にする必要があるような場合がある。また、紛失した自移動機１０２が見つかった等により「ダイヤルロック」の設定状態から未設定の状態に状態を変更して、掛かってきたテレビ電話に対してユーザ自身が対応することが必要になる場合がある。
【００２８】
図６は、ユーザが移動機設定部で設定された特定の自動応答サービスの中から１つの自動応答サービスを選択した際の自移動機の液晶ディスプレイの表示内容の一例を示したものである。ここでは、ユーザが「ドライブモード」を選択した場合を示している。液晶ディスプレイ１２１には、「設定」、「解除」および「終了」の３つの選択肢が表示されている。本実施例では、特定の自動応答サービスについてその内容の現状確認を行う場合には、「設定」を選択するようにしている。
【００２９】
図３に再び戻って説明を続ける。ユーザが特定の自動応答サービス（たとえば「ドライブモード」）を選択した後に「設定」を選択すると（ステップＳ２０８：Ｙ）、その自動応答サービスが現時点で通知のために設定されている状態であるか、あるいは未設定の状態であるかが自移動機１０２の液晶ディスプレイに表示される。このとき、未設定であれば、たとえば「未設定です」という文字が液晶ディスプレイに表示されることになる。「ドライブモード」について設定を行っている場合には、現在の設定画面が液晶ディスプレイに表示されると共に、画像を新たに選択するか、画像の選択を行わず、現状のままで一連の処理を終了させるかを問う選択肢が表示される（ステップＳ２０９）。
【００３０】
図７は、ドライブモードにおける現在の設定画面としての画像の一例を示したものである。液晶ディスプレイには、「ドライブモード中！」という文字と選択されている画像およびユーザに選択させる２つの選択肢が表示されている。
【００３１】
ユーザが「画像選択」を選択したとすると（ステップＳ２１０：Ｙ）、画像が未設定の場合には新たな画像がドライブモードのために選択され、画像がすでに設定されているような場合には、自移動機１０２に用意されている他の画像が新たに選択される（ステップＳ２１１）。ユーザが自移動機１０２の図示しないカメラで撮影した画像や所定のホームページから予めダウンロードした画像を自移動機１０２に格納しておいて、所望の画像を「画像選択」によって選択することも可能である。画像が選択されると、その画像が液晶ディスプレイに表示される。
【００３２】
図８は、ユーザが図７に示した液晶ディスプレイの表示内容で「画像選択」を選択して「ドライブモード」における他の画像を選択した状態を表わしたものである。このようにユーザは自移動機１０２のディスプレイ１２１に表示する画像を任意に選択し、あるいは一度選択した内容を変更することができる。
【００３３】
液晶ディスプレイ１２１に表示された現在の画像を継続して使用する場合には、図７に示した最初に表われた画像の時点でユーザは「終了」を選択する（ステップＳ２１２：Ｙ）。液晶ディスプレイ１２１に表示された画像を他の画像に切り替える場合には（ステップＳ２１０：Ｙ）、画像の選択を行い（ステップＳ２１１）、その画像を表示して（ステップＳ２０９）、所望の画像であればユーザは「終了」を選択することになる（ステップＳ２１２：Ｙ）。後者の場合には、このようにして新たに選択された画像がセットされて処理が終了する（エンド）。
【００３４】
一方、図６に示す液晶ディスプレイの表示内容でユーザが「解除」を選択した場合には（ステップＳ２１３：Ｙ）、現在設定されている自動応答サービスが解除され（ステップＳ２１４）、処理がステップＳ２０３に戻る。たとえば「ドライブモード」が設定されていたが、ユーザが自動車の運転を終了させてこの自動応答サービスを解除した場合には、ステップＳ２０３におけるその自動応答サービスを解除した後の各自動応答サービスの状態が確認のために表示される。したがって、「ドライブモード」が解除されたことを確認後にユーザが「終了」を選択すれば（ステップＳ２０７：Ｙ）、一連の処理が終了することになる。
【００３５】
これに対して、図６に示す液晶ディスプレイの表示内容でユーザが「終了」を選択した場合には（ステップＳ２１５：Ｙ）、現状の設定あるいは未設定の状態のままで処理が終了する（エンド）。
【００３６】
以上説明したようにユーザは新たな状況の発生等に応じて自動応答サービスを設定したり、解除したり、あるいは現在の設定状態等を確認することができる。また、自動応答サービスを設定する場合には、自分の希望する画像を選択したり、一度選択した画像であってもそれを適宜変更することができる。
【００３７】
図９は、本実施例でテレビ電話が掛かってきた場合の自移動機側の処理の様子を表わしたものである。自移動機１０２はテレビ電話が掛かってくると、相手側端末に着信に対して応答できないことを通知する自動応答サービスの設定が行われているかどうかをチェックする（ステップＳ２３１）。本実施例では「ダイヤルロック」と「ドライブモード」の２種の自動応答サービスを設定できるようになっているので、これらのいずれかが設定されているかを図２に示す移動機設定記憶部１１２内容をチェックすることで判別する。いずれの自動応答サービスについても設定が行われていなければ（Ｎ）、通信端末１０４から自移動機１０２に掛かってきたテレビ電話に対してユーザ自身が応答することができる。したがって、発呼側の通信端末１０４に対して応答できない旨を画像で通知する本実施例の処理を行うことなく、処理は終了する（エンド）。
【００３８】
本実施例の場合には、「ダイヤルロック」と「ドライブモード」の２種の自動応答サービスを設定できるようになっている。そこで、「ダイヤルロック」と「ドライブモード」の２種の自動応答サービスの一方が設定されていると判別された場合には（ステップＳ２３１：Ｙ）、まず第１の自動応答サービスとして「ダイヤルロック」の自動応答サービスが設定されているかどうかの判別が行われる（ステップＳ２３２）。なお、本実施例では「ダイヤルロック」と「ドライブモード」の２種の自動応答サービスを対象としているので、両者が同時に設定されている場合は前提としていない。なぜなら、「ダイヤルロック」モードは自移動機１０２が盗難や机の上に置き忘れてきた場合のようにユーザの手元から離れていることを前提としている。このため、ユーザが自移動機１０２を携行して自動車を運転している場合の「ドライブモード」と同時に成立する場合は想定しにくいからである。
【００３９】
「ダイヤルロック」の自動応答サービスが設定されている場合（ステップＳ２３２：Ｙ）、図２に示したテレビ電話着信設定実行部１１５はテレビ電話着信設定記憶部１１４に格納されている「ダイヤルロック」の自動応答サービスに対応する画像情報および音声情報を読み出し（ステップＳ２３３）、画像情報に対しては「ダイヤルロック」用のテキスト情報を合成して（ステップＳ２３４）、ＬＣＤ処理部１１６がこの合成画像を自移動機１０２の液晶ディスプレイに送出のための選択画像として表示する（ステップＳ２３５）。
【００４０】
テレビ電話着信設定実行部１１５は、この選択画像とステップＳ２３３で読み出した音声情報とを画像・音声送信部１１７に送出し、ここから相手側端末としての通信端末１０４に送信する（ステップＳ２３６）。したがって、通信端末１０４はテレビ電話の相手の自移動機１０２が「ダイヤルロック」になっていることを画像と音声の両方で知り、日時を置いて掛け直すか、会社や自宅の固定電話に電話を掛けてみる等の他の手法での連絡を試みることになる。
【００４１】
一方、ステップＳ２３２で「ダイヤルロック」の自動応答サービスが設定されていない場合には（Ｎ）、「ドライブモード」の自動応答サービスが設定されていることになる。そこで、図２に示したテレビ電話着信設定実行部１１５はテレビ電話着信設定記憶部１１４に格納されている「ドライブモード」の自動応答サービスに対応する画像情報および音声情報を読み出し（ステップＳ２３７）、画像情報については「ドライブモード」用のテキスト情報を合成して（ステップＳ２３８）、ＬＣＤ処理部１１６がこの合成画像を自移動機１０２の液晶ディスプレイに送出のための選択画像として表示する（ステップＳ２３９）。これは、図７あるいは図８における「画像選択」および「終了」についての操作情報を削除した部分と同一である。
【００４２】
テレビ電話着信設定実行部１１５は、この選択画像とステップＳ２３３で読み出した音声情報とを画像・音声送信部１１７に送出し、ここから相手側端末としての通信端末１０４に送信する（ステップＳ２４０）。したがって、通信端末１０４はテレビ電話の相手の自移動機１０２が「ドライブモード」になっていることを画像と音声の両方で知り、時間を置いて掛け直すことになる。
【００４３】
以上説明した実施例では「ダイヤルロック」と「ドライブモード」の２種の自動応答サービスが行われる場合を例に挙げたが、これによりも多くの自動応答サービスが相手側端末に対して行われるようになっていてもよい。また、実施例では画像と音の両方を相手側端末に送信することにしたが、音の出力を行わないようにすることも可能である。
【００４４】
なお、「ドライブモード」に設定する際およびこれを解除する際には、ユーザが自移動機１０２をその都度、直接操作すればよい。「ダイヤルロック」に設定する際は、ユーザの手元に自移動機１０２が存在しない。したがって、この場合には従来から行われているようにユーザが他の電話機、たとえば図１に示す他移動機１０３や固定電話機を使用して自移動機１０２に電話を掛けて、この遠隔操作により自移動機１０２を「ダイヤルロック」に設定することになる。
【００４５】
＜発明の変形例＞
【００４６】
更に実施例ではテレビ電話を掛けてきたすべての相手側端末に対して応答できない旨の自動応答サービスを行うことにしたが、相手側端末によって応答する内容を変えるようにしてもよい。たとえば自移動機１０２のユーザが自動車を運転中であっても、友人や仕事の仲間のように自分の現在の行動を知らせる必要のある者以外の者に「ドライブモード」といった付加的な情報を通知する必要はない。「ダイヤルロック」についても同様である。
【００４７】
図１０は、本発明の変形例としての自移動機の構成の概要を表わしたものである。図１０で図２と同一部分には同一の符号を付しており、これらの説明を適宜省略する。この変形例の自移動機１０２Ａは、テレビ電話による自動応答サービスに対応した電話帳を設定する電話帳設定部３０１と、この電話帳設定部３０１で設定された電話帳を記憶する電話帳記憶部３０２を備えている。テレビ電話着信設定実行部１１５Ａは、テレビ電話が掛かってくると、ユーザの設定した電話帳の内容に応じて自動応答サービスを行うことにしている。
【００４８】
図１１は、この変形例の電話帳記録部に格納されている電話帳の要部を表わしたものである。電話帳３１１には、テレビ電話を掛けてくる可能性のある発呼側電話番号と、それぞれに対応する自動応答サービスでの画像情報および音声情報の対応付けが行われている。これらの対応付けを行うのが図１０に示した電話帳設定部３０１である。すなわち、電話帳設定部３０１はテレビ電話についての着呼がある度等にユーザによってこれら相手側端末に対してどのような自動応答を行うべきかを登録する。
【００４９】
この変形例では、「ダイヤルロック」と「ドライブモード」の双方について「通常」、「親密」および「拒否」の３種類の応答用画像ならびに音声情報のうちから１つずつを選択できるようになっている。たとえば「ダイヤルロック」について「１２３−４５６−７８９」の電話番号の相手側端末については、「通常」の箇所にマークされている。したがって、このような相手側端末からテレビ電話が掛けられてきた場合には、ダイヤルロック中であることが通常の画像および音声で相手側端末に通知されることになる。これに対して、「２３４−５６７−８９０」の電話番号の相手側端末については、「拒否」の箇所にマークされている。したがって、このような相手側端末からテレビ電話が掛けられてきた場合には、「ただいま電話に出られません」というような原因を特定しない一般的な応答のための音声や画像情報が相手側端末に送られる。したがって、発信元のユーザはどのような原因で電話に出られないかを知ることができない。すなわち、「ダイヤルロック」や「ドライブモード」中であるといった情報が相手側端末に知らされることもない。
【００５０】
一方、「３４５−６７８−９０１」の電話番号の相手側端末については、「親密」の箇所にマークされている。したがって、ユーザがたとえば自分あるいはペットの写真を合成した画像や自分自身で録音した音声等を用いて「ダイヤルロック」中であることを自動応答することができる。なお、図１１に示していない電話番号の相手側端末からテレビ電話が掛けられてきた場合には、「拒否」と同様の内容で画像を用いて自動応答してもよいし、更に別の画像や音声を用意しておいてもよい。
【００５１】
以上説明した実施例および変形例では、相手側端末がテレビ電話を掛けてきた際に、通話ができない理由を画像を用いて自動応答することにしたが、あらかじめ用意した動画を用いて自動応答を行ってもよい。
【００５２】
また、実施例および変形例では液晶ディスプレイ１２１に画像を表示することにしたが、有機素材を主体として構成されるディスプレイ等の各種のディスプレイをこれに代わって使用できることはもちろんである。
【図面の簡単な説明】
【００５３】
【図１】本発明の一実施例における携帯型情報機器を使用した通信システムの構成の概要を表わしたシステム構成図である。
【図２】実施例の自移動機における回路構成の要部を機能的に表わしたブロック図である。
【図３】本実施例でユーザがテレビ電話着信モードを選択したときの自移動機側の処理の流れを表わした流れ図である。
【図４】実施例におけるテレビ電話着信設定画面の一例を示した平面図である。
【図５】実施例で自移動機の液晶ディスプレイに表示される自動応答サービスの一覧の一例を表わした平面図である。
【図６】実施例で特定の自動応答サービスを選択した際の自移動機の液晶ディスプレイの表示内容の一例を示した平面図である。
【図７】実施例で現在の設定画面の一例としてドライブモードであることを表示する画面を示した平面図である。
【図８】実施例でユーザが「画像選択」を表示して「ドライブモード」における他の画像を選択した状態を表わした平面図である。
【図９】本実施例でテレビ電話が掛かってきた場合の自移動機側の処理の様子を表わした流れ図である。
【図１０】本発明の変形例としての自移動機の構成の概要を表わしたブロック図である。
【図１１】この変形例における電話帳記録部に格納されている電話帳の要部を表わした説明図である。
【図１２】従来提案された留守番対応装置の概略を示すブロック図である。
【符号の説明】
【００５４】
１００  通信システム
１０１  事業者ネットワーク
１０２、１０２Ａ  自移動機
１０４  通信端末（相手側端末）
１１１  移動機設定部
１１２  移動機設定記憶部
１１３  テレビ電話着信設定部
１１４  テレビ電話着信設定記憶部
１１５  テレビ電話着信設定実行部
１１７  画像・音声送信部
１２１  液晶ディスプレイ
３０１  電話帳設定部
３０２  電話帳記憶部
３１１  電話帳
【図１】
2005354274.tif 000003
【図２】
2005354274.tif 000004
【図３】
2005354274.tif 000005
【図４】
2005354274.tif 000006
【図５】
2005354274.tif 000007
【図６】
2005354274.tif 000008
【図７】
2005354274.tif 000009
【図８】
2005354274.tif 000010
【図９】
2005354274.tif 000011
【図１０】
2005354274.tif 000012
【図１１】
2005354274.tif 000013
【図１２】
2005354274.tif 000014